(57)【要約】【課題】ＳＤ又はＵＳＢインタフェース・プラグが選択することができるようなＵＳＢプラグを内蔵するＳＤメモリカードを提供する。【解決手段】ＳＤメモリカードは、ＵＳＢインタフェース・プラグと一体化した。トップカバーとボードとの間に回路ボードが取り付けられかつＳＤ導電接点は第１のエッジに固定され、拡張プレートは第２のエッジに配置される。ＵＳＢ導電ボードは、ＵＳＢハブの必要条件を満たすために拡張プレートの厚みを加えるために利用される。このような方法で、ＳＤ及びＵＳＢプラグは、単一のメモリカードにおいて、組み込むことができる。【選択図】  図１
0003109193.tif 000002
【実用新案登録請求の範囲】
【請求項１】
一側からプレート（１１）が延びているボード（１０）と、該ボードに結合された回路ボード（２０）と、ＵＳＢ導電ボード（３０）と、前記回路ボード及び前記ＵＳＢ導電ボードを固定するために前記ボードに取り付けられたトップカバー（４０）とを含み、
前記回路ボードは、該回路ボードの第１のエッジに形成された拡張プレート（２１）であって該拡張プレートに固定された複数の第１の接点（２２）を有する拡張プレートと、該拡張プレートから離れた前記回路ボードの第２のエッジに形成された標準のＳＤプラグ（２３）とを有し、
前記ＵＳＢ導電ボードは、前記拡張プレートに取り付けられ、複数の第２の接点（３１）と、それぞれが第２の接点に接続された複数の第３の接点（３２）とを有し、前記第２の接点及び前記第３の接点はそれぞれ前記ＵＳＢ導電ボードの一方の面及び反対の面に配置され、各第２の接点は各第１の接点に接触し、前記トップカバーの第１の端部は格子構造を有し、前記トップカバーの第２の端部は拡張フレーム（４２）を有する、ＵＳＢインタフェース・プラグを内蔵するＳＤメモリカード。
【請求項２】
前記拡張フレーム、前記ＵＳＢ導電ボード、前記拡張プレート及び前記プレートは、後部キャップ（５０）によって覆われる前記ＵＳＢプラグを形成するために一緒に取り付けられ、切欠き（５１）が前記プレートに対応するように形成されている、請求項１に記載のＵＳＢインタフェース・プラグを内蔵するＳＤメモリカード。
【請求項３】
前記格子構造は複数の平行リブ（４１）によって形成され、２つの隣接するリブの間の隙間は前記回路ボードの第２のエッジにおけるＳＤ導電接点に一致する、請求項２に記載のＵＳＢインタフェース・プラグを内蔵するＳＤメモリカード。
【考案の詳細な説明】
【技術分野】
【０００１】
本考案は、メモリカードに関し、特に、ＵＳＢ（Ｕｎｉｖｅｒｓａｌ  Ｓｅｒｉａｌ  Ｂｕｓ）プラグを内蔵するＳＤ（ｓｅｃｕｒｅ  ｄｉｇｉｔａｌ）メモリカードに関する。
【背景技術】
【０００２】
電話から音楽記憶装置やＰＤＡまでのマイクロエレクトロニクスの製品が人気において急成長し続けるとき、これに対応するメモリカードの傾向は、より大容量及びより高い互換性に向けられている。例えば、メモリカードの標準インターフェースは、ＣＦ（コンパクト・フラッシュ）、ＭＳ（メッセージ・ストア）、ＳＤその他を含む。しかし、メモリカードは、異なるハブを有する製品との互換性を有することがない単一のプラグだけを備えているので、カード読み取り装置は、異なるインタフェース・プラグを有する複数のメモリカードを読むために提供される。
【０００３】
他方、メモリカードがさまざまな製品との互換性を有する複数のインタフェース・プラグを備えることは可能であり、この種のメモリカードは、通常、現在の標準プラグの他にＵＳＢの第２のインタフェース・プラグを備えている。
【０００４】
ＳＤメモリカードを例にすれば、ＳＤハブにおける標準の隙間の高さは、１．４ｍｍ±０．１ｍｍであるから、メモリカードのプラグ厚さは、上記の必要条件を満たさなければならないが、他方、ＵＳＢハブにおける標準の隙間の高さは、少なくとも１．８ｍｍであり、明らかにＳＤハブより大きい。単一のＳＤメモリカードに２つのプラグを統合する方法は、課題のままである。
【０００５】
したがって、本考案は上述した課題を緩和するか又は取り除くために、ＵＳＢインタフェース・プラグを内蔵するＳＤカードを提供する。
【考案の開示】
【０００６】
本考案の主な目的は、ＳＤ又はＵＳＢインタフェース・プラグが選択することができるようなＵＳＢプラグを内蔵するＳＤメモリカードを提供することにある。
【０００７】
本考案の他の目的、効果及び新規な特徴は、添付の図面を参照しながらの以下の詳細な説明から明らかになる。
【考案を実施するための最良の形態】
【０００８】
図１及び図２を参照するに、本考案によるＵＳＢインタフェース・プラグを内蔵するＳＤメモリカードはボード１０を有し、ボード１０の一側からプレート１１が延びている。ボード１０は、平坦な構造を形成するために周囲に沿って伸びる連続したトップフランジ１２を備えている。ボード１０とは反対側の、矩形プレート１１の一つのエッジは、複数のレール１３を形成している。回路ボード２０は、ボード１０と同じ形状であるが、ボード１０よりわずかに小さい形状であるから、トップフランジ１２により形成される凹部に受け入れられることができる。矩形プレート１１に一致し、その上に合わせられる４つの第１の接点２２を有する拡張プレート２１は、回路ボード２０の第１のエッジに形成されている。拡張プレート２１から離れた位置にある、回路ボード２０の第２のエッジは、標準ＳＤプラグとして形成されている。ＵＳＢ導電ボード３０は拡張プレート２１と同じ大きさを有し、４つの第２の接点３１及び４つの第２の接点３１のそれぞれに対応する４つの第３の接点３２はＵＳＢ導電ボード３０の上端部及び下端部に配置され、ＵＳＢ導電ボード２２が拡張プレート２１に合わさるとき、各第２の接点３１は対応する第１の接点２２に接触する。
【０００９】
トップカバー４０は、回路ボード２０及びＵＳＢ導電ボード３０を固定するためにボード１０に載置される。トップカバー４０の第１の端部は、格子状に形成された複数の平行リブ４１を有し、隣接した２つのレールの間における各隙間は、回路ボード２０の第２のエッジのＳＤ導電接点２３に一致する。トップカバー４０の第２の端部は拡張フレーム４２を有する。
【００１０】
矩形ボード１１に対応する後部キャップ５０はこれの下面に形成される切欠き５１を備えており、切欠き５１は後部キャップの一縁部に開口部を有する。
【００１１】
組立ての作業は、以下のとおりである。ＵＳＢ導電ボード３０は、回路基板２０の拡張プレート２１に配置されるから、４つの第２の接点３１はそれぞれ４つの第１の接点２２を接触する。導電ボード３０及び回路基板２０は、上部フランジによって、ボード１０に確実に配置され、その後、トップカバー４０はボード１０に配置される。
【００１２】
図２を参照するに、トップカバー４０の第１の端部は格子構造に形成され、第２の端部が拡張フレーム４２に形成されているから、ＳＤ導電接点２３及び第３の接点３２は露出する。メモリカードのプラグがＳＤ又はＵＳＢハブに差し込まれるとき、それらの接点はハブの対応する接触部を接触することができる。組立て作業が完了するとき、図２に示すように、ＵＳＢプラグは形成される。図３を参照するに、後部キャップ５０がＵＳＢプラグを覆うように組み込まれるとき、カードは標準のＳＤメモリカードとして作動して、ＳＤハブに使用することができる。ＵＳＢプラグのデータは、後部キャップ５０を取り外すことによって、アクセス可能になる。
【００１３】
図４及び図５を参照するに、回路ボード２０がプレート１０に確実に配置されるとき、全高さは、１．８ｍｍの開口寸法を有するＳＤハブの必要条件を満たす１．４±０．１ｍｍである。この問題を解決するために、導電ボード３０は、高さ差の埋め合わせをするために利用される。一方、プレート１０のレール１３は、拡張プレート２１及び導電ボード３０を強化する。
【図面の簡単な説明】
【００１４】
【図１】本考案に係るＳＤメモリカードの分解図。
【図２】本考案に係る分離された状態のＳＤメモリカードの斜視図。
【図３】本考案に係る組み立てられた状態のＳＤメモリカードの斜視図。
【図４】本考案に係るＳＤメモリカードの平面図。
【図５】本考案に係る図４の線５−５に沿って得たＳＤメモリカードの断面図。
【符号の説明】
【００１５】
１０  ボード
１１  プレート
２０  回路ボード
２１  拡張プレート
２２  第１の接点
２３  ＳＤプラグ
３０  ＵＳＢ導電ボード
３１  第２の接点
３２  第３の接点
４０  トップカバー
４１  平行リブ
４２  拡張フレーム
５０  後部キャップ
５１  切欠き
【図１】
0003109193.tif 000003
【図２】
0003109193.tif 000004
【図３】
0003109193.tif 000005
【図４】
0003109193.tif 000006
【図５】
0003109193.tif 000007
【手続補正書】
【提出日】平成17年1月21日(2005.1.21)
【手続補正１】
【補正対象書類名】明細書
【補正対象項目名】０００２
【補正方法】変更
【補正の内容】
【０００２】
電話から音楽記憶装置やＰＤＡまでのマイクロエレクトロニクスの製品が人気において急成長し続けるとき、これに対応するメモリカードの傾向は、より大容量及びより高い互換性に向けられている。例えば、メモリカードの標準インターフェースは、ＣＦ（登録商標）（コンパクト・フラッシュ）、ＭＳ（メッセージ・ストア）、ＳＤその他を含む。しかし、メモリカードは、異なるハブを有する製品との互換性を有することがない単一のプラグだけを備えているので、カード読み取り装置は、異なるインタフェース・プラグを有する複数のメモリカードを読むために提供される。